(57)【要約】      （修正有）【課題】ＭＩＭＯシステムのプレコーディング伝送方法を提供する。【解決手段】移動局が、基地局における送信プレコーディングとしてコードブックに定義された一つのユニタリー行列を用いると仮定し、ユニタリー行列のうちの一つのベクトルを該ユーザの送信ビームベクトル、他のベクトルを干渉ユーザの送信ビームベクトルとし、ＭＭＳＥ受信ウエイト行列を利用して等価チャネルを算出し、チャネル方向インデックスとチャネル品質情報を取得して基地局へフィードバックする。基地局では、フィードバックされた情報に基づいて、可能性のあるユーザ組み合わせに対応するＺＦＰ送信行列又は調整済みＺＦＰ送信行列を取得し、マルチユーザスケジューリングをして同時に送信するユーザの組み合わせを特定し、対応するＺＦＰ送信行列又は調整済みＺＦＰ送信行列を利用してプレコーディングし、送信する。スケジューリングされたユーザがＭＭＳＥ受信を行なう。【選択図】図１
2009141957.tif 000002
【特許請求の範囲】
【請求項１】
ＭＩＭＯシステムのプレコーディング伝送方法であって、
移動局は、基地局における送信プレコーディングとしてコードブックに定義された一つのユニタリー行列を用いると仮定し、上記ユニタリー行列のうちの一つのベクトルを該ユーザの送信ビームベクトル、ほかのベクトルを干渉ユーザの送信ビームベクトルとし、ＭＭＳＥ受信ウエイト行列を利用して等価チャネルを算出し、チャネル方向のインデックス、及びチャネル品質情報とを取得して基地局へフィードバックするステップＡと、
基地局が、移動局からフィードバックされたチャネル方向インデックスとチャンル品質情報とに基づいて、可能性のある一部又はすべてのユーザ組み合わせに対応するＺＦＰ送信行列又は調整済みＺＦＰ送信行列を取得し、マルチユーザスケジューリングをして同時に送信するユーザの組み合わせを特定するステップＢと、
基地局が、上記ユーザの組み合わせに対応するＺＦＰ送信行列又は調整済みＺＦＰ送信行列を利用して、プレコーディングを行って送信するステップＣと
を含むことを特徴とするプレコーディング伝送方法。
【請求項２】
移動局が、ＭＭＳＥ受信器を用いて信号を受信するステップＤをさらに含むことを特徴とする請求項１記載の方法。
【請求項３】
ステップＡにおいて、
移動局が、ユニタリー行列のベクトルごとに対応する等価チャネルを算出するステップ１１１と、
移動局が、該等価チャネルに基づいて、移動局がユニタリー行列のベクトルごとに対応するＳＩＮＲを取得するステップ１１２と、
ＳＩＮＲのうちの最大値を見つけ出し、該最大値に基づいて移動局において量子化された等価チャネルを取得するステップ１１３と、
ＳＩＮＲを最大値とする送信ビームベクトルをチャネル方向とし、そのインデックスとチャンル品質情報とを取得して基地局へフィードバックするステップ１１４と
を含むことを特徴とする請求項２記載の方法。
【請求項４】
【数１】
2009141957.tif 000069
を選択されたＳ個のユーザの量子化チャネルの組み合わせとし、
【数２】
2009141957.tif 000070
を各ユーザの送信パワーの割り当てとすると、前記ユーザ組み合わせに対応するZFP送信行列が、下記式
【数３】
2009141957.tif 000071
で示されることを特徴とする請求項３記載の方法。
【請求項５】
【数４】
2009141957.tif 000072
を選択されたＳ個のユーザの量子化チャネルの組み合わせとし、
【数５】
2009141957.tif 000073
を各ユーザの送信パワーの割り当てとすると、前記ユーザ組み合わせに対応する調整済みZFP送信行列が、下記式
【数６】
2009141957.tif 000074
で示されることを特徴とする請求項３記載の方法。
【請求項６】
ステップＢにおいて、ＱｏＳに基づいて、対応するスケジューリングアルゴリズムを選択してマルチユーザスケジューリング操作を行うことを特徴とする請求項１乃至５のいずれか一項記載の方法。
【発明の詳細な説明】
【技術分野】
【０００１】
本発明は、ＭＩＭＯシステムにおけるプレコーディング技術に関わり、特にＭＩＭＯシステムのプレコーディング伝送方法に関する。
【背景技術】
【０００２】
将来の無線通信システムは、より高い情報伝送速度と通信品質が要求される。限られた周波数資源でこの目標を達成するために、ＭＩＭＯ（Ｍｕｌｔｉ  Ｉｎｐｕｔ  Ｍｕｌｔｉ  Ｏｕｔｐｕｔ）技術は、将来の無線通信に欠かせない手段の一つとなっている。
【０００３】
ＭＩＭＯシステムにおいて、送信側は複数のアンテナで信号を送信し、受信側は複数のアンテナで信号を受信する。研究結果によれば、伝統的なシングルアンテナ伝送方法と比べ、ＭＩＭＯ技術を利用した場合、チャネルの容量を明らかに向上させることができ、情報伝送速度を向上させることができる。
【０００４】
ＭＩＭＯシステムにおいてプレコーディング（ｐｒｅ−ｃoｄｉnｇ）の送信方法を使用すると、ＭＩＭＯシステムの性能を効果的に向上させることができる。プレコーディングの基本思想は、現在のチャネル情報に基づき、送信されるデータに対して、送信する前に、たとえば線形処理や非線形処理などの予備処理を行うことである。
【０００５】
以下、プレコーディングを採用したデータ処理過程を説明する。
【０００６】
セルにおいて、基地局の数を１、移動局の数をＫとし、基地局がＭ本の送信アンテナを有し、各移動局がNk本の受信アンテナを有すると仮定する。とある時間と周波数において、基地局は、スケジューリングされたＳ≦Ｋ個のユーザにデータストリームを送信する。つまり、ｋ（ｋ=１、２、…、Ｓ）番目のユーザにLk個のデータストリームを送信する。ここで、
【数１】
2009141957.tif 000003
である。
【０００７】
ｋ番目のユーザのLk×１次元送信ベクトルsk（データシンボル）は、M×Lk次元プレコーディング送信行列Tkを介してＭ本のアンテナから送信される。ユーザｋのチャネル特性行列は、Nk×M次元行列Hkである。
【０００８】
ｋ番目のユーザが受信したNk×１次元信号ベクトルykは、Lk×Nk 受信復号行列Rkを介して、Lk×１次元ソフト出力ベクトル
【数２】
2009141957.tif 000004
は、下記式
【数３】
2009141957.tif 000005
で示される。
【０００９】
上記式のうち、右側の第二部分はマルチユーザ干渉であり、nkはノイズ信号である。
【００１０】
各ユーザは各自のチャネル特性行列Hkを精確に推定できるが、限られた情報しか基地局にフィードバックできないとする。基地局と全ての移動局は、共通のコードブック（Codebook）、例えばＤＦＴ（Discrete Florier Transform、離散フーリエ変換）行列を有し、ユーザは、フィードバックチャネルをコードブック中のあるベクトルに量子化し、Ｂビットのフィードバックがサポートできるコードブックには、最多でも
【数４】
2009141957.tif 000006
個のベクトルが含まれる。
【数５】
2009141957.tif 000007
の場合、各ユーザは、一つの等価チャネル
【数６】
2009141957.tif 000008
のみの量子化情報を基地局にフィードバックする。ｋ番目のユーザの受信信号は、下記式
【数７】
2009141957.tif 000009
で示される。
【００１１】
上記式のうち、rkは受信機合成ベクトルであり、
【数８】
2009141957.tif 000010
は総プレコーディング送信行列であり、
【数９】
2009141957.tif 000011
は総送信信号であり、nkはノイズ信号であり、平方誤差は
【数１０】
2009141957.tif 000012
である。
【００１２】
従来技術においてはＺＦＰ（Zero-Forcing Precoding）技術を利用した。以下、それについて詳しく説明する。
【００１３】
ＺＦＰ方法は、直接にユーザチャネルHkに対してＳＶＤ（Singular-Value Decomposition，特異値分解） を行ない、最大特徴値に対応する特徴ベクトルUk|1を受信機合成ベクトルとし、
【数１１】
2009141957.tif 000013
と記する。つまり、
【数１２】
2009141957.tif 000014
【数１３】
2009141957.tif 000015
【数１４】
2009141957.tif 000016
そして、各仮定した送信コードブックベクトルについて、対応するＳＩＮＲ（Signal to Interference plus Noise Ratio，信号対干渉とノイズの比）を求めることを試してみる。
【００１４】
スケジューリングされた各ユーザの送信ベクトルは基本的に直交し、且つ実の送信ビームと仮定送信コードブックベクトルの誤差が非常に小さい場合、ＳＩＮＲの下限値の近似値は、
【数１５】
2009141957.tif 000017
となる。
【００１５】
ここで、
【数１６】
2009141957.tif 000018
はコードブック中のコードベクトルであり、||.||はベクトルのモジュラーである。
【００１６】
最後に、該ユーザ等価チャネルを、ＳＩＮＲを最大化するコードベクトルに量子化する。下記式で示される。
【数１７】
2009141957.tif 000019
最後に、対応するチャネル方向インデックスＣＤＩとチャネル品質情報ＣＱＩを取得して基地局にフィードバックする。ＣＤＩとＣＱＩはそれぞれ下記式で示される。
【数１８】
2009141957.tif 000020
【数１９】
2009141957.tif 000021
基地局は、全てのユーザからフィードバックされたＣＱＩとＣＤＩに基づいて、可能性のある全てのユーザ組み合わせ（Ｋ個のユーザのうちＳ個のユーザを選択する）に対応する送信行列ＴZFPを求める。送信行列ＴZFPは、下記式
【数２０】
2009141957.tif 000022
で示される。ここで、
【数２１】
2009141957.tif 000023
は、選択されたＳ個のユーザの量子化フィードバックチャネルの組み合わせ、肩文字Ｈは共役転置を示し、肩文字−1は逆を示す。上記ベクトル
【数２２】
2009141957.tif 000024
は、各ユーザの送信パワーの割り当てである。ユーザ間のエネルギーの分布が同一の場合、
【数２３】
2009141957.tif 000025
であり、Ｐは総送信パワーである。しかしながら、例えばWater fallingアルゴリズムなどの他の方法を利用して、各ユーザ間のパワー割り当てを行なってもよい。
【００１７】
そして、求めた
【数２４】
2009141957.tif 000026
を用いて各ユーザのＳＩＮＲを補正する。その補正は、下記式で示される。
【数２５】
2009141957.tif 000027
さらに、補正されたＳＩＮＲを用いて各ユーザ組み合わせの容量を推定する。即ち、下記式で示される。
【数２６】
2009141957.tif 000028
最後に、最大容量のユーザ組み合わせを選択して送信する。その送信行列は該ユーザ組み合わせに対応するＴZFPである。
【００１８】
有限フィードバックシステムにおいて、量子化誤差の存在により、各ユーザの干渉が完全に排除されなくなり、選択されたユーザがＭＭＳＥ受信を行なってマルチユーザ干渉を抑制する。即ち、下記式で示される。
【数２７】
2009141957.tif 000029
実のＳＩＮＲは、
【数２８】
2009141957.tif 000030
であり、
実の容量は、
【数２９】
2009141957.tif 000031
である。
【発明の開示】
【発明が解決しようとする課題】
【００１９】
ところで、上述方法において、実の受信機はＭＭＳＥ合成器であるが、フィードバック時に使用する合成器は各ユーザ自身のチャネルをＳＶＤ分解して得た特徴ベクトルであり、ユーザ自身のチャネルのみを考慮し、他のユーザの干渉を考慮していなかったため、上述方法で得た合成チャネルと実の受信チャネルとは偏差が大きく、フィーダバックが不精確になり、基地局のスケジューリングとプレコーディング行列の計算も不精確になるようにしたため、システムの周波数利用率が最大的に利用されていない。
【００２０】
従来のＺＦＰ方法において使用するフィードバック合成チャネルと実の受信チャネルの偏差が大きいため、周波数利用率が比較的に低いという問題を解決するために、本発明は、システムの周波数利用率を向上させるより効果的なＭＩＭＯシステムのプレコーディング伝送方法を提供することを目的とする。
【課題を解決するための手段】
【００２１】
上述目的を実現するために、本発明は、ＭＩＭＯシステムのプレコーディング伝送方法を提供している。該方法は、以下のステップを有する。
【００２２】
ステップＡにおいて、移動局は、基地局における送信プレコーディングとしてコードブックに定義された一つのユニタリー行列を用いると仮定し、上記ユニタリー行列のうちの一つのベクトルを該ユーザの送信ビームベクトル、ほかのＭ−１個のベクトルをすべての干渉ユーザの送信ビームベクトルとし、ＭＭＳＥ受信ウエイト行列を利用して等価チャネルを算出し、ユニタリー行列のインデックス、及びチャネル品質情報とを取得して基地局へフィードバックする。
【００２３】
ステップＢにおいて、基地局が、移動局からフィードバックされたチャネル方向インデックスとチャンル品質情報とに基づいて、可能性のある一部又はすべてのユーザ組み合わせに対応するＺＦＰ送信行列又は調整済みＺＦＰ送信行列を取得し、マルチユーザスケジューリングをして同時に送信するユーザの組み合わせを特定する。
【００２４】
ステップＣにおいて、基地局が、上記ユーザの組み合わせに対応するＺＦＰ送信行列又は調整済みZFP送信行列を利用して、プレコーディングを行って送信する。
【００２５】
上記方法において、移動局が、ＭＭＳＥ受信器を用いて信号を受信するステップＤをさらに含む。
【００２６】
上記方法のステップＡにおいて、
移動局が、ユニタリー行列のベクトルごとに対応する等価チャネルを算出するステップ１１１と、
移動局が、該等価チャネルに基づいて、移動局がユニタリー行列のベクトルごとに対応するＳＩＮＲを取得するステップ１１２と、
ＳＩＮＲのうちの最大値を見つけ出し、該最大値に基づいて移動局において量子化された等価チャネルを取得するステップ１１３と、
ＳＩＮＲの最大値に基づいてチャンル品質情報を取得するステップ１１４と、
チャネル方向インデックスとチャネルヒンジツ上方を基地局へフィードバックするステップ１１５とを含む。
【００２７】
上記方法において、
【数３０】
2009141957.tif 000032
を選択されたＳ個のユーザの量子化チャネルの組み合わせとし、
【数３１】
2009141957.tif 000033
を各ユーザの送信パワーの割り当てとすると、上記ユーザ組み合わせに対応するZFP送信行列が、下記式
【数３２】
2009141957.tif 000034
で示される。
【００２８】
上記方法において、
【数３３】
2009141957.tif 000035
を選択されたＳ個のユーザの量子化チャネルの組み合わせとし、
【数３４】
2009141957.tif 000036
を各ユーザの送信パワーの割り当てとすると、上記ユーザ組み合わせに対応する調整済みＺＦＰ送信行列が、下記式
【数３５】
2009141957.tif 000037
で示される。
【００２９】
上記方法において、ステップＢで、ＱｏＳに基づいて、対応するスケジューリングアルゴリズムを選択してマルチユーザスケジューリング操作を行う。
【発明の効果】
【００３０】
本発明によれば、フィードバック段階にＭＭＳＥ合成器を利用してＣＱＩとＣＤＩの計算をするため、チャネルフィードバックの誤差を減少させ、システムの周波数利用率を効果的に向上させた。
【発明を実施するための最良の形態】
【００３１】
本発明のＭＩＭＯシステムのプレコーディング伝送方法において、フィードバック段階で、移動局は、ＭＭＳＥ合成器を利用して量子化等価チャネルのチャネル方向インデックス（ＣＤＩ）及びチャネル品質情報（ＣＱＩ）を計算し、スケジューリング段階及びプレコーディング段階において、該フィードバック情報を利用して対応する処理を行って、周波数利用率を向上させる。
【００３２】
図１に示すように、本発明のＭＩＭＯシステムのプレコーディング伝送方法は、以下のステップを有する。
【００３３】
ステップ１１において、フィードバック時に、各ユーザはプレコーディング送信行列Ｔを知らないため、実の受信機合成ベクトル
【数３６】
2009141957.tif 000038
と等価チャネルhkを得ることができないが、実際のマルチユーザシステムにおいて、基地局のスケジューラは、フィードバックチャネルが互い直交するユーザを選択する傾向がある。これは、このようにするとユーザ間の干渉を小さくし、容量を比較的に大きくすることができるからである。選択されたユーザのチャネルが互いに直交すれば、算出した送信行列Ｔも直交行列となる。後述のシミュレーション図からもわかるように、ユーザ数が多くなるほど、互いに直交するユーザグループを選択する確率も大きくなり、送信行列もますます直交行列に近似する。そこで、送信行列Ｔをユニタリー行列と仮定し（即ち、一つのユニタリー行列を基地局における送信プレコーディング行列として使用し）、式
【数３７】
2009141957.tif 000039
でＭＭＳＥ合成ベクトル
【数３８】
2009141957.tif 000040
を計算して、等価チャネル
【数３９】
2009141957.tif 000041
を取得し、上記等価チャネルを利用してチャネル方向インデックスとチャネル品質情報を取得する。
【００３４】
ステップ１２において、移動局は、ＣＤＩとＣＱＩを基地局にフィードバックする。
【００３５】
ステップ１３において、基地局は、すべての移動局からフィードバックされたＣＤＩとＣＱＩとに基づいて、可能性のある一部又はすべてのユーザ組み合わせ（Ｋ個のユーザのうち、Ｓ＜＝Ｍ個のユーザを選択する）に対応するＺＦＰ送信行列ＴZFP又は調整済みＺＦＰ送信行列ＴRZFPを取得し、移動局に対してスケジューリングを行なう。
【００３６】
ここで、一部のユーザ組み合わせに対応するＺＦＰ送信行列ＴZFP又は調整済みＺＦＰ送信行列ＴRZFPを取得するか、それともすべてのユーザ組み合わせに対応するＺＦＰ送信行列ＴZFP又は調整済みＺＦＰ送信行列ＴRZFPを取得するかはスケジューリングアルゴリズムに関係し、これについては後述する。
【００３７】
ＺＦＰ送信行列ＴZFP又は調整済みＺＦＰ送信行列ＴRZFPは、下記式
【数４０】
2009141957.tif 000042
【数４１】
2009141957.tif 000043
で示される。
【００３８】
ここで、
【数４２】
2009141957.tif 000044
は、選択されたＳ個のユーザの量子化等価チャネルの組み合わせであり、ベクトル
【数４３】
2009141957.tif 000045
は、各ユーザの送信パワーの割り当てである。
【００３９】
基地局が移動局に対するスケジューリングは、ＱｏＳに基づいて、対応するスケジューリングアルゴリズムを選択してマルチユーザスケジューリング操作を行うことができる。
【００４０】
ステップ１４において、スケジューリングされた移動局（即ち、同時に送信する必要のあるユーザ）のデータに対して、対応するＺＦＰ送信行列ＴZFP又は調整済みＺＦＰ送信行列ＴRZFPを利用して、プレコーディングを行って送信する。
【００４１】
以下、本発明の方法を更に詳しく説明する。
【００４２】
ステップ１１において、送信行列Ｔをコードブック中の一つのユニタリー行列Cgとし、行列中の一つのベクトル
【数４４】
2009141957.tif 000046
を該ユーザの送信ベクトルとし、ほかのＭ-１個のベクトルを干渉ユーザの送信ベクトルとする。本発明を理解するために、ステップ１１を詳しく説明する前に、該ユニタリー行列Cgとベクトルciについて説明する。
【００４３】
ステップ１１において、そのうちの一つのベクトル
【数４５】
2009141957.tif 000047
を該ユーザの送信ベクトルと仮定しているだけなので、送信ベクトルが１より大きい場合、該ＭＭＳＥ合成ベクトル
【数４６】
2009141957.tif 000048
はＭＭＳＥ受信ウェイト行列になる。
【００４４】
本発明の実施形態においては、多種類のタイプのコードブックを利用できるが、ここでは、ＤＦＴに基づくプレコーディングコードブックのみを例として説明する。
【００４５】
該コードブックは、２B個のベクトルからなるＤＦＴ行列である。各ベクトルには、Ｍ個の元素を含み、ｉ番目のベクトルのｍ番目の元素は、下記式
【数４７】
2009141957.tif 000049
m=0，…，M−1；
i =0，…，2B−1で示される。
【００４６】
該２B個のベクトルでＧ=２B／Ｍ個のユニタリー行列を構成する。ｇ番目のユニタリー行列は、下記式
【数４８】
2009141957.tif 000050
g =0，…，G−1で示される。
【００４７】
ステップ１１は、図２に示すように、詳しくは以下のステップを含む。
【００４８】
ステップ１１１において、下記式
【数４９】
2009141957.tif 000051
で示すように、移動局は、各ciに対応する等価チャネル
【数５０】
2009141957.tif 000052
を算出する。ここで、
【数５１】
2009141957.tif 000053
である。
【００４９】
ステップ１１２において、下記式
【数５２】
2009141957.tif 000054
で示すように、移動局は、該等価チャネル
【数５３】
2009141957.tif 000055
に基づいて、各ciに対応する
【数５４】
2009141957.tif 000056
を取得する。
【００５０】
ステップ１１３において、下記式
【数５５】
2009141957.tif 000057
で示すように、
【数５６】
2009141957.tif 000058
のうちの最大値を見つけ出し、該最大値に基づいて量子化された等価チャネル
【数５７】
2009141957.tif 000059
を取得する。
【００５１】
ステップ１１４において、下記式
【数５８】
2009141957.tif 000060
【数５９】
2009141957.tif 000061
のうちの最大値及び対応する等価チャネル
【数６０】
2009141957.tif 000062
に基づいて、ＣＤＩ及びＣＱＩを取得する。
【００５２】
もちろん、ステップ１１４において、ＳＩＮＲを最大値とする送信ビームベクトルをチャネル方向とし、さらに該送信ビームベクトルのインデックス及びチャネル品質情報を取得した後で基地局にフィードバックしてもよい。両者が取得する結果は一致する。
【００５３】
ステップ１３において、基地局が移動局に対してスケジューリングを実行するが、利用するスケジューリングアルゴリズムは、Ｍａｘ  Ｃ／Ｉスケジューリングアルゴリズム、ＰＦスケジューリングアルゴリズム、ラウンドロビンスケジューリングアルゴリズムなどである。本発明の具体的な実施形態においては、Ｍａｘ  Ｃ／Ｉスケジューリングアルゴリズムを例として詳しく説明する。
【００５４】
図３に示すように、該ステップ１３において基地局が移動局に対するスケジューリングは、詳しく以下のステップを有する。
【００５５】
ステップ１３１において、可能性のあるユーザ組み合わせＳについて、量子化チャネル組み合わせは
【数６１】
2009141957.tif 000063
となる。下記式
【数６２】
2009141957.tif 000064
又は
【数６３】
2009141957.tif 000065
を用いて、そのＺＦＰ送信行列ＴZFP又は調整済みＺＦＰ送信行列ＴRZFPを計算する。そして、tk(k=1,…S)を用いて該組み合わせ中の各ユーザのSINRkを補正して、補正後のSINRk,estを取得する。補正後のSINRk,estは、式
【数６４】
2009141957.tif 000066
で示される。
【００５６】
ステップ１３２において、式
【数６５】
2009141957.tif 000067
で示すように、補正後のＳＩＮＲを利用して各ユーザ組み合わせの容量を推定する。
【００５７】
ステップ１３３において、最大容量のユーザ組み合わせをスケジューリングされるユーザとする。
【００５８】
もちろん、上述スケジューリングアルゴリズムは、好ましいアルゴリズムであって、可能性のある全てのユーザ組み合わせに対して、対応するＺＦＰ送信行列ＴZFP又は調整済みＺＦＰ送信行列ＴRZFPを計算して容量の推定を行ない、さらに、容量推定の結果に基づいて選択を行なう。しかし、ユーザ数が比較的に多い場合、スケジューリングアルゴリズムの演算量を減少するために、例えばｇｒｅｅｄｙアルゴリズムなどのアルゴリズムを本発明に適用してスケジューリングしてもよい。この場合、可能性のある一部のユーザ組み合わせのＺＦＰ送信行列ＴZFP又は調整済みＺＦＰ送信行列ＴRZFPのみを計算して容量の推定を行い、容量推定の結果に基づいて選択を行なえばよい。
【００５９】
ステップ１４において、基地局は、スケジューリングされたユーザ組み合わせに対応する送信行列（ＺＦＰ送信行列ＴZFP又は調整済みＺＦＰ送信行列ＴRZFP）を利用してプレコーディングをして送信すればよい。
【００６０】
一方、移動局側において、ユーザ間の干渉が完全に抑制できないため、ユーザは、式
【数６６】
2009141957.tif 000068
で示すように、ＭＭＳＥ受信を行なう。
【００６１】
図４、図５は、本発明の方法を用いた場合のシミュレーション図である。
【００６２】
第一のシミュレーション条件として、送信アンテナ数Mは４であり、受信アンテナ数Nは４であり、アンテナ間は関連しなく、ユーザ数は２０であり、３ビットのＣＤＩ及び精確なＣＱＩをフィードバックするとする。
【００６３】
図４は、上述第一のシミュレーション条件の元、ＳＮＲの変化に従う周波数利用効率のカーブである。上方のカーブは、本発明の方法を利用した場合の、ＳＮＲの変化に従う周波数利用効率のカーブであり、下方のカーブは、従来のＺＦＰ方法の場合の、ＳＮＲの変化に従う周波数利用効率のカーブである。図４によれば、ＳＮＲ=１２ｄＢのとき、従来のＺＦＰ方法と比べ、本発明の方法を利用すると、周波数利用効率が約２．５ｂｐｓ／Ｈｚ高い。また、ＳＮＲの増加に従って、周波数利用効率の向上もますます明らかになる。
【００６４】
第二のシミュレーション条件としては、送信アンテナ数Mは４であり、受信アンテナ数Nは４であり、アンテナ間は関連しなく、３ビットのＣＤＩ及び精確なＣＱＩをフィードバックし、ＳＮＲは１２ｄＢである。
【００６５】
図５は、上述の第二のシミュレーション条件の元での、ユーザ数の変化に従う周波数利用効率のカーブである。上方のカーブは、本発明の方法を利用した場合の、ユーザ数の変化に従う周波数利用効率のカーブであり、下方のカーブは、従来のＺＦＰ方法の場合の、ユーザ数の変化に従う周波数利用効率のカーブである。図によれば、ユーザ数が１２のとき、従来のＺＦＰ方法と比べ、本発明の方法を利用すると、周波数利用効率は約１．８ｂｐｓ／Ｈｚ高い。また、ユーザ数の増加に応じて、周波数利用効率の向上もますます明らかになる。
【００６６】
以上は本発明の好ましい実施形態に過ぎない。本発明は、特許請求の範囲の記載により定める本発明の趣旨及び範囲を逸脱することなく修正及び変更形態として実施することができる。
【図面の簡単な説明】
【００６７】
【図１】本発明の方法の流れを示す。
【図２】本発明の方法のステップ１１の詳しい流れを示す。
【図３】本発明の方法のステップ１４においてＭａｘ  Ｃ／Ｉスケジューリングアルゴリズムを採用する処理フローを示す。
【図４】本発明の方法を利用したシミュレーション結果を示す。
【図５】本発明の方法を利用したシミュレーション結果を示す。
【図１】
2009141957.tif 000075
【図２】
2009141957.tif 000076
【図３】
2009141957.tif 000077
【図４】
2009141957.tif 000078
【図５】
2009141957.tif 000079